【手続補正書】
【提出日】平成17年1月14日(2005.1.14)
【手続補正１】
【補正対象書類名】明細書
【補正対象項目名】発明の名称
【補正方法】変更
【補正の内容】
【発明の名称】情報通信システム、電話装置、基地局
【手続補正２】
【補正対象書類名】明細書
【補正対象項目名】特許請求の範囲
【補正方法】変更
【補正の内容】
【特許請求の範囲】
【請求項１】
電話間の通信を制御・管理する基地局と、
前記基地局に対し所定の要求信号を送信可能な第１の電話と、
電子メールの送受信機能を有する第２の電話とから成る情報通信システムであって、
前記基地局は、電話の加入者情報を保持するデータベースを有し、
前記要求信号は、前記第１の電話の加入者情報の送信を要求する加入者情報送信要求信号を含み、
前記基地局は、前記第１の電話から前記加入者情報送信要求信号を受信した場合に、前記データベースから前記第１の電話の前記加入者情報を検索し、前記第２の電話に前記第１の電話の前記加入者情報を送信する、
ことを特徴とする情報通信システム。
【請求項２】
請求項１に記載の情報通信システムであって、
前記加入者情報送信要求信号は、前記第１の電話の加入者情報のうちの送信すべき項目を指定する選択情報を含み、
前記選択情報により指定される前記項目は、前記第１の電話により設定可能であり、
前記基地局が前記第２の電話に送信する前記第１の電話の前記加入者情報は、前記第１の電話の加入者情報のうち前記選択情報により指定された前記項目に対応する情報のみである、
ことを特徴とする情報通信システム。
【請求項３】
請求項１に記載の情報通信システムであって、
前記基地局のデータベースの保持する前記電話の加入者情報は、電子メールアドレスを含み、
前記基地局は、前記第１の電話と前記第２の電話との通話状態において前記第１の電話から前記加入者情報送信要求信号を受信した場合に、前記データベースから前記第２の電話の前記電子メールアドレスを検索し、当該電子メールアドレスへ前記第１の電話の前記加入者情報を送信する、
ことを特徴とする情報通信システム。
【請求項４】
基地局に対し所定の要求信号を送信可能な電話装置であって、
前記要求信号は、前記基地局に対し自局の電話の加入者情報を他の電話へ送信することを要求する加入者情報送信要求信号を含む、
ことを特徴とする電話装置。
【請求項５】
請求項４に記載の電話装置であって、
前記加入者情報送信要求信号は、前記自局の電話の加入者情報のうちの送信すべき項目を指定する選択情報を含み、
前記選択情報により指定される前記項目を設定可能である、
ことを特徴とする電話装置。
【請求項６】
請求項４に記載の電話装置であって、
前記他の電話との通話状態において前記加入者情報送信要求信号を前記基地局に送信する、
ことを特徴とする電話装置。
【請求項７】
電話間の通信を制御・管理する基地局であって、
電話の加入者情報を保持するデータベースを有し、
第１の電話から、前記第１の電話の前記加入者情報の送信を要求する加入者情報送信要求信号を受信した場合に、前記データベースから前記第１の電話の前記加入者情報を検索し、第２の電話に前記第１の電話の前記加入者情報を送信する、
ことを特徴とする基地局。
【請求項８】
請求項７に記載の基地局であって、
前記加入者情報送信要求信号は、前記第１の電話の加入者情報のうちの送信すべき項目を指定する選択情報を含み、
前記第２の電話に送信する前記第１の電話の前記加入者情報は、前記第１の電話の加入者情報のうち前記選択情報により指定された前記項目に対応する情報のみである、
ことを特徴とする基地局。
【請求項９】
請求項７に記載の基地局であって、
前記データベースの保持する前記電話の加入者情報は、電子メールアドレスを含み、
前記第１の電話と前記第２の電話との通話状態において、前記第１の電話から前記加入者情報送信要求信号を受信した場合に、前記データベースから前記第２の電話の前記電子メールアドレスを検索し、当該電子メールアドレスに前記第１の電話の前記加入者情報を送信する、
ことを特徴とする基地局。
【手続補正３】
【補正対象書類名】明細書
【補正対象項目名】０００６
【補正方法】変更
【補正の内容】
【０００６】
【課題を解決するための手段】
請求項１に記載の情報通信システムは、電話間の通信を制御・管理する基地局と、前記基地局に対し所定の要求信号を送信可能な第１の電話と、電子メールの送受信機能を有する第２の電話とから成る情報通信システムであって、前記基地局は、電話の加入者情報を保持するデータベースを有し、前記要求信号は、前記第１の電話の加入者情報の送信を要求する加入者情報送信要求信号を含み、前記基地局は、前記第１の電話から前記加入者情報送信要求信号を受信した場合に、前記データベースから前記第１の電話の前記加入者情報を検索し、前記第２の電話に前記第１の電話の前記加入者情報を送信することを特徴とする。
【手続補正４】
【補正対象書類名】明細書
【補正対象項目名】０００７
【補正方法】変更
【補正の内容】
【０００７】
請求項２に記載の情報通信システムは、請求項１に記載の情報通信システムであって、前記加入者情報送信要求信号は、前記第１の電話の加入者情報のうちの送信すべき項目を指定する選択情報を含み、前記選択情報により指定される前記項目は、前記第１の電話により設定可能であり、前記基地局が前記第２の電話に送信する前記第１の電話の前記加入者情報は、前記第１の電話の加入者情報のうち前記選択情報により指定された前記項目に対応する情報のみであることを特徴とする。
請求項３に記載の情報通信システムは、請求項１に記載の情報通信システムであって、前記基地局のデータベースの保持する前記電話の加入者情報は、電子メールアドレスを含み、前記基地局は、前記第１の電話と前記第２の電話との通話状態において前記第１の電話から前記加入者情報送信要求信号を受信した場合に、前記データベースから前記第２の電話の前記電子メールアドレスを検索し、当該電子メールアドレスへ前記第１の電話の前記加入者情報を送信することを特徴とする。
【手続補正５】
【補正対象書類名】明細書
【補正対象項目名】０００８
【補正方法】変更
【補正の内容】
【０００８】
請求項４に記載の電話装置は、基地局に対し所定の要求信号を送信可能な電話装置であって、前記要求信号は、前記基地局に対し自局の電話の加入者情報を他の電話へ送信することを要求する加入者情報送信要求信号を含むことを特徴とする。
【手続補正６】
【補正対象書類名】明細書
【補正対象項目名】０００９
【補正方法】変更
【補正の内容】
【０００９】
請求項５に記載の電話装置は、請求項４に記載の電話装置であって、前記加入者情報送信要求信号は、前記自局の加入者情報のうちの送信すべき項目を指定する選択情報を含み、前記選択情報により選択される前記項目を設定可能であることを特徴とする。
請求項６に記載の電話装置は、請求項４に記載の電話装置であって、前記他の電話との通話状態において前記加入者情報送信要求信号を前記基地局に送信することを特徴とする。
【手続補正７】
【補正対象書類名】明細書
【補正対象項目名】００１０
【補正方法】変更
【補正の内容】
【００１０】
請求項７に記載の基地局は、電話間の通信を制御・管理する基地局であって、電話の加入者情報を保持するデータベースを有し、第１の電話から、前記第１の電話の前記加入者情報の送信を要求する加入者情報送信要求信号を受信した場合に、前記データベースから前記第１の電話の前記加入者情報を検索し、第２の電話に前記第１の電話の前記加入者情報を送信することを特徴とする。
【手続補正８】
【補正対象書類名】明細書
【補正対象項目名】００１１
【補正方法】変更
【補正の内容】
【００１１】
請求項８に記載の基地局は、請求項７に記載の基地局であって、前記加入者情報送信要求信号は、前記第１の電話の加入者情報のうちの送信すべき項目を指定する選択情報を含み、前記第２の電話に送信する前記第１の電話の前記加入者情報は、前記第１の電話の加入者情報のうち前記選択情報により指定された前記項目に対応する情報のみであることを特徴とする。
請求項９に記載の基地局は、請求項７に記載の基地局であって、前記データベースの保持する前記電話の加入者情報は、電子メールアドレスを含み、前記第１の電話と前記第２の電話との通話状態において、前記第１の電話から前記加入者情報送信要求信号を受信した場合に、前記データベースから前記第２の電話の前記電子メールアドレスを検索し、当該電子メールアドレスに前記第１の電話の前記加入者情報を送信することを特徴とする。
【手続補正９】
【補正対象書類名】明細書
【補正対象項目名】００１２
【補正方法】削除
【補正の内容】
【手続補正１０】
【補正対象書類名】明細書
【補正対象項目名】００１３
【補正方法】削除
【補正の内容】
【手続補正１１】
【補正対象書類名】明細書
【補正対象項目名】００３１
【補正方法】変更
【補正の内容】
【００３１】
【発明の効果】
請求項１に記載の情報通信システムによれば、基地局は、第１の電話から加入者情報送信要求信号を受信した場合に、データベースから第１の電話の加入者情報を検索し、第２の電話に第１の電話の加入者情報を送信するので、第１の電話のユーザは、個人情報の入力および送信という面倒な操作を行うことなく、自分の個人情報である加入者情報を第２の電話のユーザへと伝達することができる。個人情報の受信側である第２の電話のユーザは、個人情報をメモリダイヤルやアドレス帳にコピーして容易に登録することができる。
【手続補正１２】
【補正対象書類名】明細書
【補正対象項目名】００３２
【補正方法】変更
【補正の内容】
【００３２】
さらに、加入者情報は、基地局のデータベースが保持している情報であるのでその信頼性は高い。また、加入者情報は第１の電話ではなく基地局において作成されるので、個人情報の送信側である第１の電話のユーザの入力ミスによって個人情報が正確に伝達されない恐れも無く、さらに、第１の電話のユーザが個人情報を偽ることも不可能である。
【手続補正１３】
【補正対象書類名】明細書
【補正対象項目名】００３３
【補正方法】変更
【補正の内容】
【００３３】
請求項２に記載の情報通信システムによれば、請求項１に記載の情報通信システムにおいて、選択情報により指定される項目は、第１の電話の操作により設定可能であり、基地局が第２の電話に送信する第１の電話の加入者情報は、第１の電話の加入者情報のうち選択情報により指定された項目に対応する情報のみであるので、第１の電話のユーザが相手に知られたくない個人情報が、基地局により勝手に送信されることが防止され第１の電話のユーザのプライバシーの保護が図られる。
請求項３に記載の情報通信システムによれば、個人情報は電子メールにより送信されるので、個人情報の受信側である第２の電話のユーザは、個人情報をメモリダイヤルやアドレス帳にコピーして容易に登録することができる。また、加入者情報送信要求信号は、個人情報の送信相手との通話中に送信されるので、加入者情報メールの送信先を誤ることも防止できる。
【手続補正１４】
【補正対象書類名】明細書
【補正対象項目名】００３４
【補正方法】変更
【補正の内容】
【００３４】
請求項４に記載の電話装置によれば、要求信号は、基地局に対し自局の電話の加入者情報を通話状態における通話相手の電話へ送信することを要求する加入者情報送信要求信号を含むので、ユーザは、個人情報の入力および送信という面倒な操作を行うことなく、基地局に対し自分の個人情報である加入者情報を通話相手の電話のユーザへ送信することを要求することができる。
【手続補正１５】
【補正対象書類名】明細書
【補正対象項目名】００３５
【補正方法】変更
【補正の内容】
【００３５】
請求項５に記載の電話装置によれば、請求項４に記載の電話装置において、加入者情報送信要求信号は、自局の加入者情報のうちの通話相手の電話に送信すべき項目を指定する選択情報を含み、電話装置において選択情報により指定される項目を設定可能であるので、ユーザが相手に知られたくない個人情報が、基地局により勝手に送信されることが防止され電話のユーザのプライバシーの保護が図られる。
請求項６に記載の電話装置によれば、加入者情報送信要求信号は、個人情報の送信相手との通話中に送信されるので、加入者情報メールの送信先を誤ることが防止できる。
【手続補正１６】
【補正対象書類名】明細書
【補正対象項目名】００３６
【補正方法】変更
【補正の内容】
【００３６】
請求項７に記載の基地局によれば、第１の電話から、第１の電話の加入者情報の送信を要求する加入者情報送信要求信号を受信した場合に、データベースから第１の電話の加入者情報を検索し、第２の電話に第１の電話の加入者情報を送信するので、第２の電話に送信される加入者情報は、基地局のデータベースが保持している加入者情報であるのでその信頼性は高い。また、加入者情報は第１の電話ではなく基地局において作成されるので、個人情報の送信側である第１の電話のユーザの入力ミスによって個人情報が正確に伝達されない恐れも無く、さらに、第１の電話のユーザが個人情報を偽ることも不可能である。
【手続補正１７】
【補正対象書類名】明細書
【補正対象項目名】００３７
【補正方法】変更
【補正の内容】
【００３７】
請求項８に記載の基地局によれば、請求項７に記載の基地局において、基地局が第２の電話に送信する第１の電話の加入者情報は、第１の電話の加入者情報のうち選択情報により指定された項目に対応する情報のみであるので、基地局により、相手に知られたくない個人情報が勝手に送信されることが防止され、第１の電話のユーザのプライバシーの保護が図られる。
請求項９に記載の基地局によれば、個人情報は電子メールにより送信されるので、個人情報の受信側である第２の電話のユーザは、個人情報をメモリダイヤルやアドレス帳にコピーして容易に登録することができる。また、加入者情報送信要求信号は、個人情報の送信相手との通話中に送信されるので、加入者情報メールの送信先を誤ることも防止できる。
【手続補正１８】
【補正対象書類名】明細書
【補正対象項目名】００３８
【補正方法】削除
【補正の内容】
【手続補正１９】
【補正対象書類名】明細書
【補正対象項目名】００３９
【補正方法】削除
【補正の内容】
【手続補正２０】
【補正対象書類名】明細書
【補正対象項目名】００４０
【補正方法】削除
【補正の内容】